(57)【特許請求の範囲】
【請求項１】
船舶のバラストタンクに水を張って船体のバランスを保持するに当たり、バラストタンク内に、吐出口に水噴射用導管の接続された水中ポンプを設置し、かつ導管外壁の任意の個所に可変電磁界の発生するケーブルコイルを巻きつけ、バラストタンク内に張られた水を水中ポンプの稼動により導管の先端噴射口から噴射してバラストタンク内に循環させ、このとき導管内を通過する流水に可変電磁界を加圧して流水中のイオンを微細粒子に凝集させ、このイオンの微細粒子を含む流水をバラストタンク内に循環させることを特徴とするバラストタンク内における防錆ならびに付着生物の付着防止方法。
【発明の詳細な説明】
【０００１】
【発明の属する技術分野】
本発明は船舶のバラストタンクに海水等の水を張って船体のバランスを保持する際に、バラストタンク内に発生する錆や付着生物の付着を防止する方法および装置に係り、特に公害を起こさずに容易に、かつ、確実に錆の発生ならびに付着生物の付着を防止する方法および装置に関する。
【０００２】
【従来の技術】
船舶のバラストタンクには通常、船体のバランスを保持するために所望量の水、特に海水が張られる。バラストタンク内に海水が張られると、タンク内壁に錆が発生するのみならず、貝等の付着生物が付着してしまい、このため、バラストタンク内での海水の循環効率が低下するのみならず、バラストタンクが腐食して船体の強度が損なわれ、船舶寿命を短くする。
【０００３】
このような錆の発生や付着生物の付着を防止するために、従来、バラストタンク内壁をペイントやエポキシタール等の塗布剤で塗装する手段が講じられている。
【０００４】
【発明が解決しようとする課題】
しかし、この種の手段では、短い期間で塗装が剥がれたり、塗布面にピンホールが発生したり等が起こり、これが腐食の原因となるため、補修を余儀なくされている。このため、費用がかさむのみならず、補修困難な場所もあり、完全な補修は不可能である。
【０００５】
さらに、この塗装に用いられる塗布剤は通常、付着生物を殺傷する効力を有するものであるので、この塗布剤と接触したバラスト水を海水中に排出した場合、海洋生物に悪影響を及ぼすという欠点を有している。
【０００６】
そこで、本発明の目的は船舶のバラストタンクに海水等の水を張って船体のバランスを保持する際に、バラストタンク内に発生する錆や付着生物の付着を、公害を引きおこすことなく、容易に、かつ確実に防止し得、上述の公知技術に存する欠点を改良した方法および装置を提供することにある。
【０００７】
【課題を解決するための手段】
上述の目的を達成するこめ、本発明方法によれば、船舶のバラストタンクに水を張って船体のバランスを保持するに当たり、バラストタンク内に、吐出口に水噴射用導管の接続された水中ポンプを設置し、かつ導管外壁の任意の個所に可変電磁界の発生するケーブルコイルを巻きつけ、バラストタンク内に張られた水を水中ポンプの稼動により導管の先端噴射口から噴射してバラストタンク内に循環させ、このとき導管内を通過する流水に可変電磁界を加圧して流水中のイオンを微細粒子に凝集させ、このイオンの微細粒子を含む流水をバラストタンク内に循環させることを特徴とする。
【０００８】
さらに、上述の目的を達成するため、本発明装置によれば、船舶のバラストタンク内に設置された水中ポンプと、この水中ポンプの吐出口に接続された水噴射用導管と、この導管の任意の個所に巻きつけられた可変電磁界の発生するケーブルコイルとからなり、導管内を通過する流水に可変電磁界を加圧して流水中のイオンを微細粒子に凝集させ、このイオンの微細粒子を含む流水を水中ポンプの稼動によりバラストタンク内に循環させることを特徴とする。
【０００９】
【発明の実施の態様】
以下、本発明を添付図面を用いて詳述する。
【００１０】
図１は本発明装置を備えたバラストタンクを有する船舶の平面図であり、図２は本発明装置を備えたバラストタンクの斜視図であり、図３はバラストタンク内に設置される水中ポンプの一具体例の斜視図である。
【００１１】
図１において、１は船舶であって、この船底には通常、バラストタンク２、２・・２が複数個二列に並列して設置されており、この中に海水等の水を張って船体のバランスを保持している。しかし、バラストタンク２、２・・２の各内壁には海水により錆が発生したり、貝等の付着生物が発生する。
【００１２】
そこで、本発明では図１および図２に示されるように、バラストタンク２、２・・２の任意の個所、例えば底面３上に水中ポンプ４を設置する。この水中ポンプ４は図１〜図３、特に図３に示されるように、底部に吸引口５および頂部に吐出口６を有し、かつ吐出口６には水噴射用導管７が接続されている。
【００１３】
さらに、導管７の外壁８には任意の個所に可変電磁界の発生するケーブルコイル９が巻きつけられる。このケーブルコイル９は図示しない電磁発生変換器から１００Ｖまたは２００Ｖの電源で可変電磁界を発生するものである。この電磁発生変換器とケーブルコイル１１の組み合わせとして、具体的には、エスケーエイ株式会社販売にかかる「スケールウオッチャー」が用いられる。
【００１４】
ケーブルコイル９から可変電磁界が発生すると、この可変電磁界は導管７内を通過する流水に加圧して流水中のイオンを微細粒子に凝集させる。すなわち、ケーブルコイル９の任意の導管７内を通過する流水はイオンの微細粒子を含む流水である。
【００１５】
この状態で水中ポンプ４を稼動すると、バラストタンク２内に張られた海水10は吸引口５から水中ポンプ４内に吸引され、吐出口６から導管７を通って先端噴射口11から噴射され、バラストタンク２内で矢印方向に循環する。このとき、導管７内を通過する流水はケーブルコイル９からの可変電磁界の加圧を受け、この結果、流水中のイオンは微細粒子に凝集され、イオンの微細粒子を含む流水がバラストタンク２内に循環することになる。
【００１６】
すなわち、本発明装置は船舶１のバラストタンク２内に設置された水中ポンプ４と、この水中ポンプ４の吐出口６に接続された水噴射用導管７と、この導管７の任意の個所に巻きつけられた可変電磁界の発生するケーブルコイル９とからなり、導管７内を通過する流水に可変電磁界を加圧して流水中のイオンを微細粒子に凝集させ、このイオンの微細粒子を含む流水を水中ポンプの稼動によりバラストタンク２内に循環させる。
【００１７】
この流水はバラストタンク２の内壁に沿って流れ、流水中のイオンの微細粒子の作用により錆の発生が防止されるとともに、付着生物の付着も同時に防止される。
【００１８】
例えば、バラストタンク２内に鉄錆があり、この鉄錆が鉄バクテリアにより成長する場合にはスケール生成のメカニズムは次のとおりである。
【００１９】
【化１】
Ｆｅ++＋２ＯＨ- →Ｆｅ（ＯＨ)2  （水酸化第一鉄）
【００２０】
【化２】
２Ｆｅ（ＯＨ)2＋Ｈ2 Ｏ＋1/2 Ｏ2 →２Ｆｅ（ＯＨ)3  （水酸化第二鉄）
【００２１】
【化３】
２Ｆｅ（ＯＨ)3→Ｆｅ2 Ｏ3 ＋３Ｈ2 Ｏ  （三酸化二鉄）
【００２２】
この三酸化二鉄は通常、赤錆と呼ばれるものであり、成長を伴う錆である。これがイオンの微細粒子を含む流水と接触すると、次の化学式に示されるように黒錆に変化する。
【００２３】
【化４】
３Ｆｅ2 Ｏ3 ・n Ｈ2 Ｏ＋ｅ- →２Ｆｅ3 Ｏ4 ＋1/2 Ｏ2 ＋３n Ｈ2 Ｏ
（四酸化三鉄）
【００２４】
すなわち、三酸化二鉄（赤錆）はイオンの微細粒子により還元作用を受けて徐々に変化し、茶褐色となり、やがて四酸化三鉄に変化し、黒錆となる。この黒錆は磁鉄鉱（マグネタイト）とも呼ばれ、錆の成長を防止するばかりか、塗膜の役目を果たす。さらに、この黒錆はやがてヘドロ状の粒子の集まりとなって流失する。
【００２５】
さらに、このイオンの微細粒子を含む流水はスケールの内部にまで浸透してすでに堆積したスケールを軟化させ、やがて剥離、脱落させて流速により流し去るのみならず、この還元作用により付着生物を追い出し、この付着を防止する。
【００２６】
【発明の効果】
以上のとおり、本発明は任意の個所にケーブルコイルの巻きつけられた導管を水中ポンプの吐出口に接続し、この導管内に水中ポンプの稼動によりバラストタンク内の海水を通過させ、循環させると同時に、ケーブルコイルから可変電磁界を発生させて流体中のイオンを微細粒子に凝集せしめ、このイオンの微細粒子を含む流体をバラストタンク内壁に接触させることにより、海水等の水を汚さずに、すなわち、この水を海中に投棄しても公害を引き起こすことなく、容易に、かつ確実にバラストタンクにおける錆の発生を防止するとともに、付着生物の付着をも防止する。
【図面の簡単な説明】
【図１】本発明装置を備えたバラストタンクを有する船舶の平面図である。
【図２】本発明装置を備えたバラストタンクの斜視図である。
【図３】バラストタンク内に設置される水中ポンプの一具体例の斜視図である。
【符号の説明】
１  船舶
２  バラストタンク
４  水中ポンプ
６  吐出口
７  導管
８  外壁
９  ケーブルコイル
10  水
11  先端噴射口
【図１】
0004303339.tif 000002
【図２】
0004303339.tif 000003
【図３】
0004303339.tif 000004